(57)【特許請求の範囲】
【請求項１】
遊技盤の表面に取り付けられる取付体に、起立状態と傾斜状態とに変化可能な一対の開閉部材を有する入賞装置であって、
該入賞装置は、玉が通過することにより前記遊技盤上に配置される特別役物を起動する始動信号を導出する機能を有する始動検出器を前記開閉部材の外側上部の前記取付体に設けると共に、玉が通過することにより賞球を払い出すための払出信号を導出する払出検出器を前記開閉部材の内部となる位置の前記取付体に設け、
前記開閉部材が起立状態と傾斜状態のいずれであっても、前記始動検出器を通過した玉は前記払出検出器を通過する一方、前記開閉部材が傾斜状態にあるとき、前記始動検出器を通過しない玉も前記開閉部材に受け止められて前記払出検出器を通過するようにしたことを特徴とするパチンコ機の入賞装置。
【発明の詳細な説明】
【０００１】
【発明の属する技術分野】
本発明は、遊技盤の表面に取り付けられる取付体に、起立状態と傾斜状態とに変化可能な一対の開閉部材を有する入賞装置に関するものである。
【０００２】
【従来の技術】
従来、パチンコ機においては、遊技盤に配置される図柄表示装置や変動入賞球装置等の特別役物を起動するために内部に検出器（始動検出器と言われている）を有する入賞装置が使用されていた。このような入賞装置の中には、開閉部材を有さないチャッカーと言われる入賞装置やソレノイド等で一対の開閉部材を開閉動作させる電動チューリップと言われる入賞装置があるが、いずれの入賞装置にあっても、始動検出器は、特別役物を起動する機能だけが与えられているに過ぎず、始動検出器の検出信号が賞球を払い出すための信号を導出するものではなかった。
【０００３】
【発明が解決しようとする課題】
ところが、近年、賞球を払い出すための検出器を入賞装置毎に設けるパチンコ機が提案されつつある。このような場合、始動検出器を有する入賞装置にあっては、始動検出器を賞球を払い出すための信号を検出する検出器として兼用することもできるが、一対の開閉部材を有する入賞装置の始動検出器を賞球用検出器として兼用した場合には、開放中に受け入れた打球のすべてに特別役物を起動する機能と賞球を払い出す機能とが与えられることになり、パチンコ機の遊技構成上、使い勝手が悪い場合も生ずる。本発明は、上記した事情に鑑みなされたもので、その目的とするところは、開閉部材を有する入賞装置に入賞するパチンコ球のすべてが特別役物を起動する機能と賞球を払い出す機能を有することのないパチンコ機の入賞装置を提供することにある。
【０００４】
【課題を解決するための手段】
上記した目的を達成するために本発明が採用した具体的な解決手段を図面を参照して説明する。請求項１の発明においては、図１及び図５に示すように、遊技盤２の表面に取り付けられる取付体１０に、起立状態と傾斜状態とに変化可能な一対の開閉部材３０ａ，３０ｂを有する入賞装置５ａであって、該入賞装置５ａは、玉が通過することにより前記遊技盤２上に配置される変動表示装置３の図柄表示器４（特別役物）を起動する始動信号を導出する機能を有する始動入賞スイッチ２４（始動検出器）を前記開閉部材３０ａ，３０ｂの外側上部の前記取付体１０に設けると共に、玉が通過することにより賞球を払い出すための払出信号を導出する入賞球スイッチ２７（払出検出器）を前記開閉部材３０ａ，３０ｂの内部となる位置の前記取付体１０に設け、前記開閉部材３０ａ，３０ｂが起立状態と傾斜状態のいずれであっても、前記始動入賞スイッチ２４を通過した玉は前記入賞球スイッチ２７を通過する一方、前記開閉部材３０ａ，３０ｂが傾斜状態にあるとき、前記始動入賞スイッチ２４を通過しない玉も前記開閉部材３０ａ，３０ｂに受け止められて前記入賞球スイッチ２７を通過するようにしたことを特徴とするものである。このように構成することにより、始動入賞スイッチ２４を通過して開閉部材３０ａ，３０ｂに受け入れられた入賞球が図柄表示器４を起動する信号を導出する機能と賞球を払い出す信号を導出する機能を有し、始動入賞スイッチ２４を通過することなく開閉部材３０ａ，３０ｂに受け入れられた入賞球は、入賞球スイッチ２７に検出されて賞球を払い出す信号を導出する機能を有し、使い勝手が良い場合もあり得る。
【０００５】
【発明の実施の形態】
以下、図面を参照して、本発明の実施形態について説明する。まず、図１を参照して、パチンコ遊技機１の概要について説明する。図１は、実施形態に係る入賞装置５ａを装着したパチンコ遊技機１の正面図である。
【０００６】
図１に示すように、パチンコ遊技機１内の遊技盤２のほぼ中央部に変動表示装置３が配置され、その変動表示装置３の中央部には、図柄表示器４が設けられている。変動表示装置３の下方には、本実施形態の要部である入賞装置５ａが配置され、また、入賞装置５ａの下方には、変動入賞球装置６が配置されている。更に、遊技盤２には、入賞口５ｂが複数箇所設けられている。
【０００７】
前記図柄表示器４には、様々な図柄等が表示されるものであるが、遊技中、パチンコ玉が、始動機能を有する入賞装置５ａ（以下、始動入賞装置５ａという）に内蔵された検出スイッチ２４（以下、始動入賞スイッチ２４という）を通過すると図柄表示器４が起動して変動表示動作が実行される。図柄表示器４が起動した後、ある特定の図柄等が図柄表示器４に表示されると大当り状態となり、前記変動入賞球装置６が開放し、変動入賞球装置６がパチンコ玉を受け入れることができる状態になる。変動入賞球装置６は、所定時間（例えば、３０秒）が経過するか、その所定時間内に所定個数（例えば、１０個）の入賞玉が発生するまで開放し、そのような開放状態をパチンコ玉が変動入賞装置６の内部に設けられるＶ入賞口（図示しない）に入賞することを条件として、所定回数（例えば、１６回）繰り返すことができるようになっている。また、遊技中、パチンコ玉が前記入賞口５ｂにそれぞれ内部された検出スイッチ２７（以下、入賞球スイッチ２７という）を通過すると所定個数の賞球が払い出される。
【０００８】
また、遊技盤２の下方には、払い出された賞球を貯留する上皿７が設置され、上皿７の下方には、上皿７では貯留しきれない賞球が払い出される下皿８が設置されている。また、下皿８の右側方には、パチンコ玉を発射させるためのハンドル９が設置されている。
【０００９】
以上、パチンコ遊技機１の概要について説明したが、次に、本実施形態の要部を構成する入賞装置である始動入賞装置５ａについて図２乃至図５を参照して説明する。図２は、始動入賞装置５ａの分解斜視図であり、図３は、パチンコ玉を受け入れることができる状態（以下、傾斜状態という）における始動入賞装置５ａを側方から見た断面図であり、図４は、パチンコ玉を受け入れない状態（以下、起立状態という）における始動入賞装置５ａの側方から見た断面図であり、図５は、起立状態における始動入賞装置５ａにおいて、前面飾り３６を取り外した状態の正面図である。
【００１０】
図２において、始動入賞装置５ａは、パチンコ遊技機１の遊技盤２の表面に取り付けられる取付板１０と、パチンコ玉の通過を検出する始動入賞スイッチ２４と、取付板１０に取り付けられ起立状態と傾斜状態とに変化可能な一対の開閉部材３０ａ，３０ｂと、該一対の開閉部材３０ａ，３０ｂにそれぞれ取り付けられる装飾部材である一対の羽根飾り３４ａ，３４ｂと、傾斜状態で受け入れたパチンコ玉を一方の開閉部材３０ａまたは３０ｂに向けて誘導する誘導底面３８を有する前面飾り３６と、前記開閉部材３０ａ，３０ｂを開閉させるための回転レバー４６と、前後作動することにより前記回転レバー４６を回転させるソレノイド４０と、賞球を払い出すための入賞球を検出する入賞球スイッチ２７と、から構成されている。
【００１１】
取付板１０の前面上部には、スイッチ取付部１１が突設されており、このスイッチ取付部１１には、取付板１０の裏面側から始動入賞スイッチ２４を挿入するための挿通穴が穿設されると共に、その上下には、パチンコ玉が通過できるように貫通穴が穿設されている。このスイッチ取付部１１の下方には、左右にそれぞれ１箇所ずつ、後述する連結ピン３１ａ，３１ｂが挿通される連結穴２０ａ，２０ｂが貫通して穿設されている。この連結穴２０ａ，２０ｂの外側には、連結穴２０ａ，２０ｂにそれぞれ隣接して、後述する軸支ピン３７ａ，３７ｂが挿入される止め穴２２ａ，２２ｂが貫通して穿設されている。前記連結穴２０ａ，２０ｂの間であって一方の連結穴２０ａの近傍には、誘導突起２８が取付板１０から突設されている。この誘導突起２８は、傾斜状態で受け入れられたパチンコ玉を誘導突起２８が突設されていない側に向けて誘導するものである。なお、始動入賞装置５ａは、図１に示すような遊技盤２の中央部に限らず、遊技盤２上の様々な位置に設置される可能性があり、始動入賞装置５ａの設置位置によっては、始動入賞装置５ａに対するパチンコ玉の流れが始動入賞装置５ａの右側に集中する場合と左側に集中する場合とがある。このため、どちらの場合でも誘導突起２１の効果を引き出せるよう、始動入賞装置５ａの設置位置に応じて、誘導突起２１は、一方の連結穴２０ａの近傍に限らず、他方の連結穴２０ｂの近傍に突設してもよい。
【００１２】
前記連結穴２０ａ，２０ｂの下方であって、取付板１０のほぼ中央には、入賞球スイッチ２７が挿入されるスイッチ挿入口２１が貫通して穿設されている。このスイッチ挿入口２１の下方には、入賞したパチンコ玉の取入口である玉入口１３が、スイッチ挿入口２１の側方には、左右にそれぞれ１箇所ずつ、後述する前面飾り３６を固定するための取付穴２５ａ，２５ｂがそれぞれ貫通して穿設されている。また、取付板１０の最側端部には、左右にそれぞれ１箇所ずつ、取付板１０を遊技盤２に取り付けるための取付穴２３が貫通して穿設されている。
【００１３】
取付板１０の裏面上部であって、前記スイッチ取付部１１の取付板１０の表面側から見て右側に対応する位置には、始動入賞スイッチ２４を固定するための係止片１２が突設されている。この係止片１２は、取付板１０の表面側から見て左側に対応する位置に突設されるものであってもよい。この係止片１２の下方には、左右にそれぞれ１箇所ずつ、後述するソレノイド４０が取り付けられるソレノイド取付片１７が突設されている。このソレノイド取付片１７の下方には、左右にそれぞれ１箇所ずつ、後述する軸ピン１９が挿入される軸穴１８が穿設されている。左右の軸穴１８の下方には、前記スイッチ挿入口２１の左右を囲むようにコの字形にスイッチ挿入部１４が突設され、取付板１０の表面側から見て右側のスイッチ挿入部１４の先端部には、入賞球スイッチ２７を固定するための係止片２６が突設されている。この係止片２６も、取付板１０の表面側から見て左側のスイッチ挿入部１４の先端に突設されるものであってもよい。
【００１４】
また、前記玉入口１３の下部には、玉入れ口１３から取り入れられたパチンコ玉を遊技盤２の後方へ誘導する後方誘導部１５が玉入口１３から後方に向かって形成されている。なお、後方誘導部１５の中心には、パチンコ玉をスムーズにパチンコ遊技機１内に導入するための誘導突片１６が設けられている。
【００１５】
開閉部材３０ａ，３０ｂの下部には、開閉部材３０ａ，３０ｂの回転中心であり、後述する前面飾り３６の軸支ピン３７ａ，３７ｂが挿通される軸支穴３３ａ，３３ｂが貫通して穿設されている。また、開閉部材３０ａ，３０ｂの上部先端近傍には、後述する羽根飾り３４ａ，３４ｂの取付ボス３５ａ，３５ｂが挿入される挿通穴３２ａ，３２ｂが穿設されている。更に、開閉部材３０ａ，３０ｂの裏面側下部であって前記軸支穴３３ａ，３３ｂ近傍には、前記連結穴２０ａ，２０ｂに挿通される連結ピン３１ａ，３１ｂが突設されている。
【００１６】
羽根飾り３４ａ，３４ｂの裏面側ほぼ中央部には、前記開閉部材３０ａ，３０ｂの挿通穴３２ａ，３２ｂに挿入される取付ボス３５ａ，３５ｂが突設されている。
【００１７】
前面飾り３６の裏面上部には、前面飾り３６の中心線を挟んで左右対称の位置にそれぞれ１箇所ずつ、前記取付板１０の止め穴２２ａ，２２ｂに挿入される軸支ピン３７ａ，３７ｂが突設されている。そして、軸支ピン３７ａ，３７ｂの下方には、左右にそれぞれ１箇所ずつ、スイッチ受部３９が突設されており、このスイッチ受部３９は、取付板１０の裏面側から挿入された入賞球スイッチ２７を下方から支えるように段差状に形成されている。また、前面飾り３６の裏面下部には、傾斜状態で受け入れたパチンコ玉を後方へ向けて誘導する誘導底面３８が円弧状に形成されている。
【００１８】
回転レバー４６の中央部には、後述するプランジャ４３の先端部分が嵌め込まれる図示しない凹部が形成されている。また、回転レバー４６の左右には、回転レバー４６の回転中心であり、後述する軸ピン１９が挿通される軸支穴４７がそれぞれ貫通して穿設されている。この軸支穴４７の側方にある回転レバー４６の先端部分は、前記連結ピン３１ａ，３１ｂが挿入される係合凹部４８ａ，４８ｂが形成されている。
【００１９】
ソレノイド４０には、前記回転レバー４６を回転させるためのプランジャ４３が、後述するスプリング４４を挿通した後挿入されている。また、ソレノイド４０は、ソレノイド４０を取付板１０に取り付けるための取付部材４１に、図示しない取付ネジで取り付けられている。
【００２０】
前記スイッチ取付部１１に始動入賞スイッチ２４を挿入した後、係止片１２により始動入賞スイッチ２４の後方側端部を係合させることにより、始動入賞スイッチ２４が取付板１０に固定される。このように、始動入賞スイッチ２４が取付板１０に取り付けられた状態においては、パチンコ玉が検出スイッチの通過穴を通過し得るようになっている。
【００２１】
また、前面飾り３６の軸支ピン３７ａ，３７ｂの後端部を開閉部材３０ａ，３０ｂの軸支穴３３ａ，３３ｂにそれぞれ挿通し、軸支ピン３７ａ，３７ｂを取付板１０の止め穴２２ａ，２２ｂに挿入することにより、前面飾り３６が取付板１０に装着される。このとき、開閉部材３０ａ，３０ｂの連結ピン３１ａ，３１ｂが取付板１０の連結穴２０ａ，２０ｂに挿通され、連結ピン３１ａ，３１ｂの先端部分が取付板１０の裏面側に突出する。前面飾り３６が取付板１０に装着された状態で、前記スイッチ挿入部１４に入賞球スイッチ２７を挿入すると、入賞球スイッチ２７の前方側端部がスイッチ受部３９上に載置されると共に、入賞球スイッチ２７の後方側端部が係止片２６に係合するため、入賞球スイッチ２７が取付板１０に固定される。
【００２２】
前記連結穴２０ａ，２０ｂは、挿入された連結ピン３１ａ，３１ｂの可動範囲を規制するものであると同時に、一対の開閉部材３０ａ，３０ｂの開閉角度を決定するものである。すなわち、一対の開閉部材３０ａ，３０ｂの開閉動作は、後述する回転レバー４６の回転動作により連結ピン３１ａ，３１ｂが上下動することで行われるものであるため、連結穴２０ａ，２０ｂの円周方向の両端面に連結ピン３１ａ，３１ｂが当接し停止する位置で開閉部材３０ａ，３０ｂも停止し、開閉角度が決定することとなる。
【００２３】
開閉部材３０ａ，３０ｂ及び前飾り３６を取付板１０に装着した後、取付板１０の取付穴２５ａ，２５ｂに図示しない取付ネジを挿通し、該取付ネジを前面飾り３６の誘導底面３８の先端部に穿設された図示しない止着穴に螺着することにより、前面飾り３６が取付板１０に固定される。なお、開閉部材３０ａ，３０ｂの挿通穴３２ａ，３２ｂに羽根飾り３４ａ，３４ｂに形成された取付ボス３５ａ，３５ｂを前方から挿入して裏面でビス止めすることにより、羽根飾り３４ａ，３４ｂが開閉部材３０ａ，３０ｂに固定される。このように開閉部材３０ａ，３０ｂを装飾する羽根飾り３４ａ，３４ｂが着脱自在に装着し得るので、羽根飾り３４ａ，３４ｂの形状や模様を変えることにより全く異なった印象の始動入賞装置５ａとすることができる。
【００２４】
前記連結ピン３１ａ，３１ｂは、取付板１０の裏面側で回転レバー４６の係合凹部４８ａ，４８ｂにそれぞれ挿入されている。この回転レバー４６は、回転レバー４６の軸支穴４７及び取付板１０の軸穴１８に軸ピン１９を挿通させた後、軸ピン１９先端側に設けられた溝に図示しないＥリングを嵌着することにより、取付板１０に回転自在に取り付けられている。この回転レバー４６が回転中心で回転することにより係合凹部４８ａ，４８ｂが上下動するため、係合凹部４８ａ，４８ｂに挿入された連結ピン３１ａ，３１ｂも上下動することとなり、これにより前述のように一対の開閉部材３０ａ，３０ｂが軸支ピン３７ａ，３７ｂを中心にして開閉動作をする。
【００２５】
また、回転レバー４６の後方には、該回転レバー４６を回転動作させるためのプランジャ４３を電気的に作動させるソレノイド４０が装着されている。このソレノイド４０は、取付部材４１を取付板１０のソレノイド取付片１７に固定することにより、取付板１０に装着される。なお、取付部材４１のソレノイド取付片１７への固定は、取付部材４１に穿設された取付穴４２に挿通した図示しない取付ネジによりされる。
【００２６】
ソレノイド４０を取付板１０に装着した場合、回転レバー４６中央部の凹部には、プランジャ４３の先端部分が嵌め込まれるようになっている。また、プランジャ４３に挿通されたスプリング４４は、ソレノイド４０への通電を遮断した場合にプランジャ４３を外側へ押し出すためのものである。また、プランジャ４３先端部には、係合片４５が形成されており、この係合片４５は、プランジャ４３がソレノイド４０に吸引された際に回転レバー４６に係合し、回転レバー４６を回転動作させるものである。
【００２７】
上記のように構成された始動入賞装置５ａは、取付板１０の取付穴２３に挿通した図示しないネジにより、遊技盤２の表面に装着される。
【００２８】
遊技盤２の表面に装着された始動入賞装置５ａにおいて、ソレノイド４０を励磁しプランジャ４３を吸引させると、図３に示すように、吸引されたプランジャ４３の係合片４５によって回転レバー４６が時計方向に回転し、係合凹部４８ａ，４８ｂが上方に移動することにより連結ピン３１ａ，３１ｂが上方に持ち上げられる。連結ピン３１ａ，３１ｂが上方に持ち上げられることにより一対の開閉部材３０ａ，３０ｂが開放し、図３に示すように、始動入賞装置５ａは傾斜状態になり、パチンコ玉を受け入れることができる。
【００２９】
次に、傾斜状態からソレノイド４０への通電を遮断すると、ソレノイド４０の励磁が解除されるためプランジャ４３への吸引力がなくなり、スプリング４４によりプランジャ４３が外側へ押し出される。プランジャ４３が外側へ押し出されると、回転レバー４６が反時計回りに回転し、係合凹部４８ａ，４８ｂが下方に移動することにより連結ピン３１ａ，３１ｂが下方に下がる。連結ピン３１ａ，３１ｂが下方に下がることにより一対の開閉部材３０ａ，３０ｂが閉塞し、図４，５に示すように、始動入賞装置５ａは起立状態になり、パチンコ玉を受け入れることができなくなる。
【００３０】
以上、実施形態に係る始動入賞装置５ａの構造及び作用について説明してきたが、本実施形態においては、図１及び図５に示すように、開閉部材３０ａ，３０ｂを有する入賞装置５ａであって、該入賞装置５ａは、遊技盤２上に配置される変動表示装置３の図柄表示器４（特別役物）の作動を起動する信号を導出する機能を有する始動入賞スイッチ２４（検出器）を前記開閉部材３０ａ，３０ｂの外側上部に設けると共に、前記開閉部材３０ａ，３０ｂの内部に賞球を払い出すための信号を導出する入賞球スイッチ２７（検出器）を設けたことにより、始動入賞スイッチ２４を通過して開閉部材３０ａ，３０ｂに受け入れられた入賞球が図柄表示器４を起動する信号を導出する機能と賞球を払い出す信号を導出する機能を有し、始動入賞スイッチ２４を通過することなく開閉部材３０ａ，３０ｂに受け入れられた入賞球は、賞球を払い出す信号を導出する機能を有し、使い勝手が良い場合もあり得る。
【００３１】
また、このように構成することにより、入賞装置５ａを遊技盤２に取り付けることで検出スイッチ２４，２７を一度に遊技盤２に取り付けることができ、検出スイッチ２４，２７を個別に遊技盤２に取り付ける煩雑さをなくすことができるばかりでなく、検出スイッチ２４，２７からの配線処理を容易に行うことができる。
【００３２】
更に、開閉部材３０ａ，３０ｂの外側上部に設けられたパチンコ玉の通過を検出する検出スイッチ２４と、開閉部材３０ａ，３０ｂの内部に設けられて賞球を払い出すための入賞球を検出する検出スイッチ２７を１個の検出スイッチで兼用せず個別に設けたことにより、検出スイッチ２４，２７からの信号を制御するコントロール基板（図示しない）の検査を容易に行うことができる。
【００３３】
なお、上記した実施形態においては、入賞装置５ａを変動表示装置３に対する始動機能を有する始動入賞装置５ａとして説明したが、必ずしも始動機能を有するものとして使用する必要はなく、他の特別役物を起動するための入賞装置として使用しても良いし、その配置位置も、遊技盤２のいずれの位置でも良い。
【００３４】
【発明の効果】
以上、説明したところから明らかなように、請求項１記載の発明においては、遊技盤の表面に取り付けられる取付体に、起立状態と傾斜状態とに変化可能な一対の開閉部材を有する入賞装置であって、該入賞装置は、玉が通過することにより前記遊技盤上に配置される特別役物を起動する始動信号を導出する機能を有する始動検出器を前記開閉部材の外側上部の前記取付体に設けると共に、玉が通過することにより賞球を払い出すための払出信号を導出する払出検出器を前記開閉部材の内部となる位置の前記取付体に設け、前記開閉部材が起立状態と傾斜状態のいずれであっても、前記始動検出器を通過した玉は前記払出検出器を通過する一方、前記開閉部材が傾斜状態にあるとき、前記始動検出器を通過しない玉も前記開閉部材に受け止められて前記払出検出器を通過するようにしたことにより、上部の検出器を通過して開閉部材に受け入れられた入賞球が特別役物を起動する信号を導出する機能と賞球を払い出す信号を導出する機能を有し、上部の検出器を通過することなく開閉部材に受け入れられた入賞球は、払出検出器に検出されて賞球を払い出す信号を導出する機能を有し、使い勝手が良い場合もあり得る。
【図面の簡単な説明】
【図１】  実施形態に係る始動入賞装置を装着したパチンコ遊技機の正面図である。
【図２】  始動入賞装置の分解斜視図である。
【図３】  パチンコ玉を受け入れ可能な状態における始動入賞装置の側方の断面図である。
【図４】  パチンコ玉を受け入れない状態における始動入賞装置の側方の断面図である。
【図５】  起立状態における始動入賞装置において、前面飾りを取り外した正面図である。
【符号の説明】
１  パチンコ遊技機
２  遊技盤
３  変動表示装置（特別役物）
４  図柄表示器
５ａ  始動入賞装置（入賞装置）
１０  取付板
１１  スイッチ取付部
１３  玉入口
２４  始動入賞スイッチ（検出器）
２７  入賞球スイッチ（検出器）
３０ａ，３０ｂ  開閉部材
【図１】
0004325959.tif 000002
【図２】
0004325959.tif 000003
【図３】
0004325959.tif 000004
【図４】
0004325959.tif 000005
【図５】
0004325959.tif 000006